(57)【特許請求の範囲】
【請求項１】
棒状体を繰り出し可能に保持するためのホルダーであって、実質的に筒状の外筒部材と、外筒部材の内部に配置される実質的に筒状の内筒部材と、外筒部材と内筒部材との間に配置され、外筒部材に対して内筒部材を所定の方向に付勢している付勢部材とを有し、付勢部材による付勢力に反して内筒部材を移動させるように外部からの力を加えて、その後、付勢力により内筒部材を元の位置に戻すという往復操作をすることができ、前記往復操作により内筒部材の内部に配置した棒状体を繰り出すことができるものであり、
付勢部材は複数の屈曲部を有し、屈曲部の変形により付勢力が発生するものであり、外筒部材の内表面及び内筒部材の外表面はそれぞれ平面部を有し、内筒部材の平面部に長尺方向の突条が複数本設けられ、両平面部の間に前記付勢部材が配置されており、さらに突条と外筒部材との間に付勢部材が配置されていることを特徴とするホルダー。
【請求項２】
付勢部材は波形であることを特徴とする請求項１に記載のホルダー。
【請求項３】
付勢部材は、同一平面上で交互に方向を変えて繰り返し折り曲げられた形状の線材又は板材からなることを特徴とする請求項１又は２に記載のホルダー。
【請求項４】
付勢部材は、線材又は板材を同一平面上で交互に方向を変えて繰り返し折り曲げて製作されたものであることを特徴とする請求項１乃至３のいずれかに記載のホルダー。
【請求項５】
少なくとも２ケの付勢部材を有し、外筒部材は内表面に少なくとも２ケの平面部を有し、内筒部材は外表面に少なくとも２ケの平面部を有し、２ケの付勢部材が、それぞれ外筒部材の平面部と内筒部材の平面部との間であって互いに対向する位置に設けられていることを特徴とする請求項１乃至４のいずれかに記載のホルダー。
【請求項６】
少なくとも２ケの付勢部材を有し、外筒部材及び内筒部材は角筒状であり、外筒部材は内表面に４ケの平面部を有し、内筒部材は外表面に４ケの平面部を有し、２ケの付勢部材が、外筒部材の平面部と内筒部材の平面部との間であって互いに対向する位置に設けられていることを特徴とする請求項１乃至５のいずれかに記載のホルダー。
【請求項７】
少なくとも２ケの付勢部材を有し、外筒部材及び内筒部材は、平板部を各４枚有する角筒状であり、２ケの付勢部材が、外筒部材の平板部と内筒部材の平板部との間であって、互いに対向する位置に設けられていることを特徴とする請求項１乃至６のいずれかに記載のホルダー。
【請求項８】
外筒部材は、長尺方向に配置された第一領域と第二領域を有し、いずれの領域においても、外筒部材を長尺方向に垂直な面で切ったときの外筒部材の内部空間の断面形状は長方形状であって、その少なくとも一辺は第一領域のほうが第二領域より大きく、付勢部材は、外筒部材の第一領域と内筒部材の間に配置されていることを特徴とする請求項６又は７に記載のホルダー。
【請求項９】
外筒部材は、第一領域と第二領域の間に段部を有し、内筒部材は外表面に突起を有し、付勢部材は、段部と突起の間に配置され、突起と接触することにより付勢力を内筒部材に及ぼすことを特徴とする請求項８に記載のホルダー。
【請求項１０】
内筒部材は外表面に突起を有し、付勢部材は突起と接触することにより付勢力を内筒部材に及ぼすことを特徴とする請求項１乃至９のいずれかに記載のホルダー。
【請求項１１】
操作部材とチャック用筒体をさらに有し、操作部材は上記外部からの力を内筒部材に伝えるものであり、チャック用筒体は、内筒部材と外筒部材の間に配置され、チャック用筒体と内筒部材は協働して、内筒部材の往復に伴って棒状体のチャックと解放を行うことにより棒状体を繰り出すことができることを特徴とする請求項１乃至１０のいずれかに記載のホルダー。
【請求項１２】
請求項１〜１１のいずれかに記載のホルダーと、ホルダーに保持された棒状体からなる組合せであって、棒状体は、使用によってその長さを減ずるものであることを特徴とするホルダー付き棒状体。
【請求項１３】
棒状体は角棒状であることを特徴とする請求項１２に記載のホルダー付き棒状体。
【請求項１４】
棒状体は消しゴムであることを特徴とする請求項１２又は１３に記載のホルダー付き棒状体。
【発明の詳細な説明】
【技術分野】
【０００１】
本発明は、消しゴムなどの棒状体を繰り出す（すなわち、間欠的に送り出す）ことができるように保持するホルダーや、それを用いたホルダー付き棒状体（ホルダーと棒状体の組合せ）に関するものである。
【背景技術】
【０００２】
従来より、筒状のホルダーの内側に棒状の消しゴムを配置し、後端部を押すなどしてノック操作することにより、棒状の消しゴムを繰り出す棒状体繰り出しホルダーに関する技術が開示されている。
【０００３】
このような棒状体の繰り出しホルダーに用いられる棒状体の断面形状は、円形以外に、長方形など様々なものがある。棒状体の断面形状が長方形状などの円形以外の形状の場合、棒状部とホルダーとの間にトルクが発生しても、相対回転しないので、常に、棒状体の回転位置を一定にすることができる。
このような従来技術については、下記特許文献１や特許文献２に開示されている。
【０００４】
【特許文献１】実開平２−１１７１９８号公報
【特許文献２】実開平３−２３４９３号公報
【発明の開示】
【発明が解決しようとする課題】
【０００５】
このような繰り出しが可能なホルダーには、内筒部材と、外筒部材と、内筒部材を後端側に付勢する付勢部材とが設けられている。なお、本出願のホルダーにおいて、棒状体が繰り出される側（消しゴムホルダならば使用時に紙面に近い側）を先端側といい、その反対側を後端側という。そして、内筒部材は、外筒部材に対して所定の距離だけ相対移動ができ、また、操作しない状態では、棒状体は内筒部材に設けられたチャック部によって保持されて、棒状体が移動しない。
【０００６】
ノック部を押すなど、所定の操作によって内筒部材を先端側に移動させると、内筒部材の移動に伴って棒状部が先端側に前進するが、内筒部材が移動して停止する位置の手前でチャック部による保持が解ける。そして、ノック部を押すのを止めると、付勢部材の力で内筒部材が後端側へ戻されるが、一定の位置まではチャック部での保持が解けた状態が維持される。
【０００７】
そして、後端部を押した時のチャック部の保持が解ける位置は、後端部を押すのを止めたときにチャック保持を始める位置よりも、先端側であるので、１回の操作でこの位置の差の分だけ、棒状体は先端側へ前進する。
また、棒状部と外筒部材とは部分的に接触させて摩擦力を発生させており、チャック部の保持が解けた場合には、この摩擦力で棒状部と外筒部材との相対移動を禁じ、チャック部で保持している場合のみ、棒状部と外筒部材とが相対移動を許す構造となっている。
【０００８】
このように、繰り出しホルダーには、内筒部材を後端側に戻すために付勢部材が必要である。また、チャック部の保持及びその解除は、ノック操作によって相対移動をさせて行われるので、チャック部のチャック力（棒状部の保持力）は、付勢部材の付勢力が大きいほど大きくすることができる。
【０００９】
棒状体の断面形状が円形の場合には、円筒形の内筒部材及び外筒部材を用い、付勢部材として円形の圧縮コイルバネを内筒部材に巻き付けるような状態で、内筒部材と外筒部材との間に配置することができる。そして、このように付勢部材を配置することで棒状部の断面形状に対してホルダーの全体形状を小さくしてコンパクト化することができる。
【００１０】
しかしながら、棒状体の断面形状が円形以外の場合、内筒部材と外筒部材との間に円形のコイルバネを配置すると、ホルダー全体の断面形状が大きくなってしまう。また、棒状部の断面形状に合わせた圧縮コイルバネを用いるのでは、かかるバネの製作が難しく、また、大きなばね定数のバネが製作できず、上記のチャック力を十分に大きくすることができなかった。
【００１１】
内筒部材の後端側に付勢部材を配置する構造とすれば、大きなばね定数のバネを採用することができるが、内筒部材の後端側からの棒状体の供給ができず、棒状体の供給が先端側のみとなって棒状体の供給作業が行いにくい。
【００１２】
そこで、本発明の目的は、全体形状を大きくすることなく、確実にチャックすることのできる棒状体繰り出しホルダーやホルダー付き棒状体（例えばホルダー付き消しゴム）を提供することを課題とする。
【課題を解決するための手段】
【００１３】
そして、上記した目的を達成するための本発明の一様相は、棒状体を繰り出し可能に保持するためのホルダーであって、実質的に筒状の外筒部材と、外筒部材の内部に配置される実質的に筒状の内筒部材と、外筒部材と内筒部材との間に配置され、外筒部材に対して内筒部材を所定の方向に付勢している付勢部材とを有し、付勢部材による付勢力に反して内筒部材を移動させるように外部からの力を加えて、その後、付勢力により内筒部材を元の位置に戻すという往復操作をすることができ、前記往復操作により内筒部材の内部に配置した棒状体を繰り出すことができるものであり、付勢部材は複数の屈曲部を有し、屈曲部の変形により付勢力が発生するものであり、外筒部材の内表面及び内筒部材の外表面はそれぞれ平面部を有し、内筒部材の平面部に長尺方向の突条が複数本設けられ、両平面部の間に前記付勢部材が配置されており、さらに突条と外筒部材との間に付勢部材が配置されていることを特徴とするホルダーである。
【００１４】
上記ホルダーに用いられる付勢部材は、屈曲部を有し、屈曲部を変形させることにより付勢力が発生するものであり、また、外筒部材及び内筒部材にはそれぞれ平面部が設けられ、外筒部材の平面部と内筒部材の平面部との間に、前記付勢部材が配置している。そのため、ホルダーと棒状体の間の隙間が狭い場合にも大きな付勢力を発生させることができる。したがって、ホルダーの全体形状を大きくしないで、チャックや繰り出しを確実に行うことができる。
【００１５】
かかる構成によれば、突条の上に付勢部材を配置することによって、付勢部材と内筒部材との接触面積を小さくして摩擦を小さくすることができ、内筒部材の移動による付勢部材の移動・変形をスムーズにすることができる。
【００１６】
本発明のホルダーにおいて、付勢部材は波形であることが好ましい。本明細書において、「波形」という語は、鋸歯状やジグザグ状も含むものとする。
【００１７】
付勢部材は、同一平面上で交互に方向を変えて繰り返し折り曲げられた形状の線材又は板材からなることが好ましい。
【００１８】
ここで、付勢部材の製作方法は、公知の方法を適宜用いればよい。
【００１９】
より好ましくは、付勢部材は、線材又は板材を同一平面上で交互に方向を変えて繰り返し折り曲げて製作されたものである。
【００２０】
このように製作すれば、付勢部材の製作を容易に行うことができる。
【００２１】
本発明のホルダーは、少なくとも２ケの付勢部材を有し、外筒部材は内表面に少なくとも２ケの平面部を有し、内筒部材は外表面に少なくとも２ケの平面部を有し、２ケの付勢部材が、それぞれ外筒部材の平面部と内筒部材の平面部との間であって互いに対向する位置に設けられていることが好ましい。
【００２２】
かかる構成によれば、２ケの付勢部材が、対向する位置に配置されているので、バランス良く付勢力を発生させることができる。
【００２３】
また、本発明のホルダーは、少なくとも２ケの付勢部材を有し、外筒部材及び内筒部材は角筒状であり、外筒部材は内表面に４ケの平面部を有し、内筒部材は外表面に４ケの平面部を有し、２ケの付勢部材が、外筒部材の平面部と内筒部材の平面部との間であって互いに対向する位置に設けられていることが好ましい。
【００２４】
かかる構成によっても、２ケの付勢部材が、対向する位置に配置されているので、バランス良く付勢力を発生させることができる。また、外筒部材及び内筒部材は角筒状であるので、製作が容易である。
【００２５】
本発明のホルダーは、少なくとも２ケの付勢部材を有し、外筒部材及び内筒部材は、平板部を各４枚有する角筒状であり、２ケの付勢部材が、外筒部材の平板部と内筒部材の平板部との間であって、互いに対向する位置に設けられていることが好ましい。
【００２６】
かかる構成によっても、２ケの付勢部材が、対向する位置に配置されているので、バランス良く付勢力を発生させることができる。また、外筒部材及び内筒部材は、平板部を各４枚有する角筒状であるので、製作が容易であり、コンパクトである。
【００２７】
本発明のホルダーにおいて、外筒部材は、長尺方向に配置された第一領域と第二領域を有し、いずれの領域においても、外筒部材を長尺方向に垂直な面で切ったときの外筒部材の内部空間の断面形状は長方形状であって、その少なくとも一辺は第一領域のほうが第二領域より大きく、付勢部材は、外筒部材の第一領域と内筒部材の間に配置されていることが好ましい。
【００２８】
かかる構成によれば、付勢部材を無理なく配置することができる。
【００２９】
本発明のホルダーにおいて、内筒部材は外表面に突起を有し、付勢部材は突起と接触して付勢力を内筒部材に及ぼすことが好ましい。
【００３０】
かかる構成によれば、付勢部材が内筒部材に付勢力を及ぼす構造が簡易である。
【００３１】
特に好ましい構成は、外筒部材は、上記第一領域と上記第二領域の間に段部を有し、内筒部材は外表面に突起を有し、付勢部材は、段部と突起の間に配置され、突起と接触することにより付勢力を内筒部材に及ぼすことである。
【００３２】
かかる構成によれば、付勢部材は、外筒部材の段部と内筒部材の突起によって挟まれていて、内筒部材の突起に付勢力を及ぼす。したがって、構造が簡易である。
【００３３】
本発明のホルダーは、操作部材とチャック用筒体をさらに有し、操作部材は上記外部からの力を内筒部材に伝えるものであり、チャック用筒体は、内筒部材と外筒部材の間に配置され、チャック用筒体と内筒部材は協働して、内筒部材の往復に伴って棒状体のチャックと解放を行うことにより棒状体を繰り出すことができるものであることが好ましい。
【００３４】
かかる構成によれば、棒状体を繰り出すための操作が容易である。なお、棒状体を繰り出すための操作部材やチャック用筒体の具体的構成は、従来技術から適宜選択して用いればよい。
【００３５】
本発明の他の様相は、上記いずれかのホルダーと、ホルダーに保持された棒状体からなる組合せであって、棒状体は、使用によってその長さを減ずるものである、組合せ（言い換えれば、ホルダー付き棒状体）である。
【００３６】
かかる構成によれば、棒状体が使用によってその長さを減じた場合に、棒状体を繰り出して使用を続けることができるものにおいて、ホルダーと棒状体の間の隙間が狭い場合にも大きな付勢力を発生させることができるので、ホルダーの全体形状を大きくしないで、チャック・繰り出しを確実に行うことができる。
【００３７】
本発明において、棒状体は角棒状であることが好ましい。
【００３８】
かかる構成によれば、常に棒状体の回転位置を一定にし、使用者の意志に反した棒状体の回転を防止することができる。
【００３９】
本発明において、棒状体を消しゴムとすることができる。
【発明の効果】
【００４０】
本発明の棒状体繰り出しホルダーやそれを用いたホルダー付き棒状体では、全体形状を大きくすることなく、確実にチャックすることができる。
【図面の簡単な説明】
【００４１】
【図１】本発明の第１の実施形態であるホルダー付き消しゴムを示した斜視図である。
【図２】図１のホルダー付き消しゴムを示した分解斜視図である。
【図３】図１のホルダー付き消しゴムの断面図であり、（ａ）はＡ−Ａ断面図、（ｂ）はＢ−Ｂ断面図である。
【図４】本発明のホルダー付き消しゴムの先端付近の断面図であり、（ａ）は、図３（ａ）を拡大した断面図であり、（ｂ）は、図３（ｂ）を拡大した断面図である。
【図５】本発明のホルダー付き消しゴムの先端付近の断面図である。
【図６】本発明のホルダー付き消しゴムの先端付近の断面図である。
【図７】付勢部材を示した正面図である。
【発明を実施するための最良の形態】
【００４２】
以下さらに本発明の具体的実施例について説明する。
なお、本明細書において、断面形状というときは、特に断りが無い場合には、棒状体の長尺方向に垂直な面による断面の形状を意味するものである。
【００４３】
本発明の第１の実施形態における棒状体繰り出しホルダー１は、図１に示されており、棒状体９０を保持できるものであり、棒状体９０を保持することにより、ホルダー付き消しゴム（ホルダー付き棒状体）５となる。また、ホルダー付き消しゴム５は、ノック操作によって、保持された棒状体９０を繰り出すことができる。この棒状体９０は断面が長方形状の長尺体である。
【００４４】
棒状体繰り出しホルダー１は、図２、図３に示されるように、外筒部材１０、内筒部材１１、チャック筒（チャック用筒体）１２、付勢部材１３及び操作部材１５を有している。外筒部材１０、内筒部材１１、チャック筒１２及び操作部材１５は、材質が樹脂であって樹脂成形によって製作されている。また、付勢部材１３は金属性のものが用いられている。
【００４５】
外筒部材１０、内筒部材１１、チャック筒１２は、いずれも実質的に角形の中空筒体である。外筒部材１０は４枚の平板部を合わせた形状であり、その両端部分には後端側（操作部材側）開口３０、先端側（チャック筒側）開口３１を有し、内部は貫通している。外筒部材１０の内部には内筒部材１１やチャック筒１２が配置される。また、外筒部材１０の内表面には、４面の平面部２０、２１、２２、２３を有している。そして、対向する一対の平面部２０、２２の幅は、他の対向する一対の平面部２１、２３の幅よりも短い。
【００４６】
外筒部材１０には、長尺方向に配置された第一領域２５、第二領域２６及び棒状体接触領域２７の３つの領域を有している。
第一領域２５の内部空間は、全域でほぼ同じ断面形状である。そして、この断面形状は長方形状であり、後述する内筒部材１１の本体領域３２の外形よりも大きい。外筒部材の内部空間の断面形状である長方形の少なくとも一辺は第一領域のほうが第二領域より大きい。そして、外筒部材１０に内筒部材１１が挿入されると、第一領域２５と本体領域３２との間に隙間５８ができ、この隙間に付勢部材１３が配置される。  
第一領域２５と第二領域２６の内部空間の断面寸法の差に起因して、外筒部材１０には、第一領域２５と第二領域２６との間に、段部２５ａが設けられている。段部２５ａは、後述する付勢部材１３の端部１３ｂが接する部分である。
【００４７】
第二領域２６の内部空間は、全域でほぼ同じ断面形状である。そして、この断面形状は長方形状であり、その縦横の寸法は、内筒部材１１の本体領域３２（後述）の外形や、チャック筒１２の外形とほぼ等しく、又はこれらより僅かに大きく、内筒部材１１の先端領域３３の外形よりも大きい。そして、内筒部材１１が外筒部材１０に挿入されると、第二領域２６には内筒部材１１の本体領域３２の一部及び先端領域３３が配置される。
【００４８】
また、第二領域２６には、外筒部材１０の内外を貫通する長尺方向とは垂直な方向の貫通孔２８が設けられている。後で詳述するが、チャック筒１２を外筒部材１０に挿入した状態では、チャック筒１２に設けられた突起部４５が貫通孔２８に入り、チャック筒１２は外筒部材１０に保持される。
【００４９】
棒状体接触領域２７の内部空間の縦横寸法は、上記の第一領域２５、第二領域２６よりも小さい。また、棒状体接触領域２７には、内側に突出するリブ２７ａが複数設けられており、リブ２７ａの内側の端部が棒状体９０に接触して、棒状体９０が移動する際にリブ２７ａと棒状体９０との間に摩擦を発生させることができる。
【００５０】
また、第一領域２５、第二領域２６及び棒状体接触領域２７の内部の空間は、全域でつながっており、その両端に後端側開口３０、先端側開口３１が位置している。
【００５１】
内筒部材１１は、図２、図３に示されるように、角状の中空筒体であり、その内部に棒状体９０を配置するためのものである。また、内筒部材１１は、４枚の平板部を合わせた形状であり、４面の平面部５０、５１、５２、５３を有している。平行な一対の平面部５０、５２の幅は、他の平行な一対の平面部５１、５３の幅よりも短く、断面形状は、平面部５１、５３に相当する辺が長い長方形状である。
内筒部材１１の内部には、棒状体９０の外形とほぼ同じ断面形状の空間が長尺方向に延びるように設けられ、その両端部分には後端側（操作部材側）開口４０、先端側（チャック筒側）開口４１を有している。
【００５２】
内筒部材１１には、本体領域３２及び先端領域３３の２つの領域を有しており、先端領域３３の方が外形寸法が小さい。また、本体領域３２と先端領域３３との境界には段部３２ａが設けられている。
【００５３】
本体領域３２には外側に突出する突起３８、３９が設けられている。突起３８は、内筒部材外表面の平面部５０、５２から突出し、突起３９は、内筒部材外表面の平面部５１、５３から突出している。突起３８、３９は、後端側開口４０付近に位置し、操作部材１５の外筒部６１（後述）に接触して、ノック操作の際に操作部材１５から力を内筒部材１１に伝達させ、内筒部材１１を前進させることができる。
【００５４】
また、幅が狭い側の平面部５０、５２に設けられる突起３８には付勢部材１３が接触しており、圧縮された付勢部材１３による付勢力を内筒部材１１に及ぼす。付勢部材１３は、外筒部材１０の段部２５ａと、内筒部材１１の突起３８との間の隙間５８に配置される。
幅が狭い側の平面部５０、５２の、付勢部材１３が配置される付近には、長尺方向の突条４８が２本設けられている。そして、突条４８の上に付勢部材１３を配置することによって、付勢部材１３と内筒部材１１との接触面積を小さくして摩擦を小さくすることができ、内筒部材１１の移動による付勢部材１３の移動・変形をスムーズにすることができる。
【００５５】
先端領域３３には、貫通孔３５、突起３６、及びスリット５５が設けられている。
貫通孔３５は、幅が狭い側の平面部５０、５２に設けられて内筒部材１１の内外を貫通し、かつ、外筒部材１０の貫通孔２８付近に対応する位置に設けられる。そして、貫通孔３５により、チャック筒１２の突起４５を内側に変形させることが容易となり、棒状体繰り出しホルダー１を組み立てる際や、組立後に分解する際の作業を容易に行うことができる。
【００５６】
また、突起３６は、幅が広い側の平面部５１、５３上に設けられて、外側に向かって突出している。そして、図３（ｂ）に示されるように、棒状体繰り出しホルダー１が完成した状態では、突起３６はチャック筒１２の長孔４６内に位置し、内筒部材１１がチャック筒１２から外れないようにしている。なお、内筒部材１１をチャック筒１２に挿入する際に挿入しやすいように、突起３６には本体領域３２側ほど外側に突出する傾斜が設けられている。
【００５７】
スリット５５は、４面の平面部５０、５１、５２、５３同士が接続する辺において、先端領域３３の先端側開口４１側から所定の範囲に位置している。そして、内筒部材１１の先端領域３３の先端側開口４１付近に内側に向かって力が加わると、平面部５０、５１、５２、５３が変形して湾曲する。
【００５８】
さらに、４面の平面部５０、５１、５２、５３の先端側開口４１側の端部付近には、チャック部５６を有している。そして、チャック部５６の外側の形状は、図２、図３に示されるように、先端側開口４１側ほど外側に向かって広がるような形状であり、ノック操作の際に、チャック筒１２内部でチャック部５６を通過させる場合に、スムーズに行うことができる。
【００５９】
チャック筒１２は、内筒部材１１の先端領域３３の長さよりも短い角状の中空の筒体であり、両端の開口４７、４９、外側へ突出する突起部４５、及び長尺方向の長孔４６を有している。チャック筒１２と内筒部材１１は協働して、内筒部材１１の往復に伴って棒状体９０のチャックと解放を行うことにより棒状体９０を繰り出すためのものである。そして、図３（ａ），（ｂ）に示されるように、チャック筒１２は、内筒部材１１の先端領域３３と、外筒部材１０の第二領域２６の間に配置される。このとき、開口４７は外筒部材１０の棒状体接触領域２７側（先端側）、開口４９は外筒部材１０の第一領域２５側（後端側）となるように配置される。
【００６０】
突起部４５は、外筒部材１０の貫通孔２８に挿入して係合され、チャック筒１２は外筒部材１０に保持される。また、突起部４５は、開口４９側（ホルダの後端側）が突出するように傾斜しており、チャック筒１２の外筒部材１０への挿入を容易に行うことができる。突起部４５の長尺方向の長さは、貫通孔２８の長尺方向の長さよりもやや短く、外筒部材１０とチャック筒１２は、この長さの差の分だけ、長尺方向に相対移動可能である。
長孔４６は、長尺方向に延びるものであり、かつ、チャック筒１２の内外を貫通している。そして、チャック筒１２の内側に配置される内筒部材１１の突起３６を長孔４６内に配置することによって、突起３６の移動を規制し、内筒部材１１とチャック筒１２との間の相対位置を所定の範囲とすることができる。
【００６１】
チャック筒１２は、内筒部材１１の先端領域３３で長尺方向に相対移動させることができるが、内筒部材１１のチャック部５６の位置がチャック筒１２の内側である場合、チャック筒１２がチャック部５６を内側に押して移動させ、棒状体９０をチャックする。また、内筒部材１１のチャック部５６の位置がチャック筒１２の内側でなく、チャック筒１２の開口４７よりも外側である場合、チャック筒１２がチャック部５６を内側に押すことがなく、チャックはされない。
このように、本実施形態の棒状体繰り出しホルダー１は、チャック部５６により棒状体９０を選択的に保持することができる。
【００６２】
付勢部材１３は図２、図７に示されるように、波形であって、複数の屈曲部７２と直線部７３を有している。そして、付勢部材１３は、線材を同一平面上で交互に方向を変えて曲げた形状であってジグザグ状である。付勢部材１３は、直線状の線材を同一平面上で交互に方向を変えて折り曲げて製作される。この線材の断面形状は、図３（ａ）に示されるように、長方形状である。
【００６３】
そして、付勢部材１３の端部１３ａ、１３ｂの距離を縮めるように変形させると、屈曲部７２の角度が変化して付勢力を発生させることができ、圧縮バネとして機能する。
【００６４】
また、２個の付勢部材１３は、外筒部材１０の内表面の平面部２０、２２と内筒部材１１の外表面の平面部５０、５２との間に形成される隙間５８に配置される。そして、付勢部材１３によって、外筒部材１０と内筒部材１１との間に付勢力を発生させる。この付勢力の方向は、内筒部材１１が操作部材１５に向かう方向、すなわち、内筒部材１１が後端側へ後退する方向である。
そして、２ヵ所に設置される付勢部材１３は、内筒部材１１を挟むように、互いに対向するような配置となっている。
【００６５】
このように、付勢部材１３は立体状に折り曲げられず、２次元的な形状であるので、付勢部材１３の幅は、その線材の幅にほぼ等しくなる。そのため、コイルバネなどとは異なり、隙間５８の幅が狭い場合にも付勢部材１３を配置することができる。
また、２ヵ所に設置される付勢部材１３は、互いに対向するような配置となっているので、外筒部材１０と内筒部材１１との間の付勢力をバランス良く、発生することができる。
なお、付勢部材１３は線材の断面形状が細長い形状である板材を用いて製作することもできる。また、曲げの部分の角度や線材の太さなどを変更することにより、付勢力を変更させることが可能である。
【００６６】
操作部材１５は、クリップ部６０、外筒部６１及び内筒部６２が設けられるものである。クリップ部６０は本体部６０ａ及び突起６０ｂを有し、外筒部材１０の平板部を外筒部６１とクリップ部６０との間に挟むことができる。
また、外筒部６１の外形縦横寸法は、外筒部材１０の後端側開口３０の内側形状とほぼ等しく、内筒部６２の外形縦横寸法は、内筒部材１１の後端側開口４０の内側形状とほぼ等しい。そして、操作部材１５は、図３に示されるように、外筒部６１を外筒部材１０の後端側開口３０に挿入し、内筒部６２を内筒部材１１の後端側開口４０に挿入するように装着される。なお、操作部材１５の着脱は簡単に行うことができる。
操作部材１５を装着すると、外筒部６１の先端は内筒部材１１の突起３８、３９に接触する。そのため、操作部材１５を押すと、それに伴って内筒部材１１が移動する。
【００６７】
次に、棒状体繰り出しホルダー１の組立方法、及び、使用方法について説明する。
まず、チャック筒１２を開口４９側から内筒部材１１の先端領域３３に挿入し、突起３６が長孔４６内に位置するようにする。
また、内筒部材１１の幅が狭い側の平面部５０、５２の外側の突条４８付近に、２個の付勢部材１３を配置する。
【００６８】
そして、内筒部材１１をチャック筒１２に挿入し、付勢部材１３を配置した状態で外筒部材１０に挿入する。この挿入は、外筒部材１０の後端側開口３０から挿入するものであり、また、チャック筒１２側から入れて行われる。
内筒部材１１が外筒部材１０に入り、チャック筒１２の突起部４５の位置が、外筒部材１０の貫通孔２８の位置となるまで挿入が行われる。なお、挿入の途中は、チャック筒１２の突起部４５は内側に移動するように変形した状態であるが、突起部４５が内筒部材１１の貫通孔３５に入った状態で行われるので容易に作業することができる。
【００６９】
挿入が完了すると、外筒部材１０とチャック筒１２は保持され、内筒部材１１は、突起３６と長孔４６との係合によって外れることはない。また、この状態では、付勢部材１３は、やや圧縮された状態であり、外筒部材１０に対して内筒部材１１が操作部材１５側に向かう方向に付勢力が発生している。
【００７０】
そして、操作部材１５を装着して、棒状体繰り出しホルダー１が完成する。
棒状体繰り出しホルダー１を使用する場合には、操作部材１５を取り外した状態で、棒状体９０を内部に入れ、再び、操作部材１５を装着する。そして、操作部材１５を用いて、内筒部材１１を往復させるノック操作を行って棒状体９０を繰り出し、棒状体９０の先端が外筒部材１０の先端側開口３１から必要な長さとなるようにした状態で使用する。
【００７１】
ノック操作による繰り出しの機構は、次の通りである。
図３に示されるように、外筒部材１０とチャック筒１２は保持されており、その内側に内筒部材１１が配置されている。そして、外筒部材１０と内筒部材１１との間は、内筒部材１１が後端側（操作部材１５側）に向かう方向に付勢力が発生している。
そのため、操作部材１５を押さない場合には、内筒部材１１が後端側に位置することとなる。そして、図３（ａ），（ｂ）や図４（ａ），（ｂ）に示されるように、チャック部５６がチャック筒１２によって押されて、棒状体９０をチャックする。通常、棒状体繰り出しホルダー１を使用する場合には、操作部材１５を押さない状態であり、かかる状態では、棒状体９０がチャックされて棒状体９０が移動しにくい。
【００７２】
操作部材１５を、付勢部材１３による付勢力よりも大きな力で押すと、内筒部材１１は、外筒部材１０やチャック筒１２に対して前進するように相対移動する。そして、この相対移動の間、棒状体９０はチャックされたままであるので、内筒部材１１の動きに伴って移動する。そして、棒状体繰り出しホルダー１は図５の状態となる。
【００７３】
さらに、操作部材１５を押すと、チャック筒１２が外筒部材１０の段部７０に接触して、チャック筒１２は段部７０によって前進を阻止される。そのため、内筒部材１１のみが前進し、図６に示すように、チャック部５６がチャック筒１２から外れ、棒状体９０はチャックが解除される。
【００７４】
続いて、操作部材１５を押すのを止めると、操作部材１５及び内筒部材１１は、付勢部材１３の付勢力によって、外筒部材１０に対して後退するように相対移動する。そして、後退し始めでは、チャック筒１２は内筒部材１１と共に移動するので、チャックは行われず、棒状体９０は、棒状体接触領域２７のリブ２７ａとの摩擦などによって、外筒部材１０との間で相対移動しない。
【００７５】
さらに、操作部材１５を後退させると、チャック筒１２の突起４５と外筒部材１０の貫通孔２８とが相対移動不可となる。そのため、チャック筒１２は外筒部材１０に対して相対移動しなくなり、内筒部材１１のチャック部５６がチャック筒１２に対して後退し、再びチャックが行われて、各部材の相対関係は、図４（ａ）、（ｂ）に示す状態に復帰する。
【００７６】
このように、操作部材１５を前進させる場合と、後退させる場合とでは、前進させる場合の方がチャックされている距離が長く、操作部材１５を押して戻すという、一回のノック操作で、棒状体９０は所定の距離だけ前進する。
【００７７】
このノック操作を繰り返し行い、必要量の棒状体９０を繰り出して使用する。なお、棒状体９０を必要以上に出した場合や、使用後に棒状体９０を内部に収納する場合には、操作部材１５を押した状態を維持して、この状態で棒状体９０を押し込むことにより、棒状体９０を後退させることができる。
【００７８】
本実施形態の棒状体９０は具体的には消しゴムであり、紙などに書かれた線や文字を消すことができる。なお、棒状体９０は、他のものを用いても良く、使用によってその長さを減ずるものを採用することができる。
【図１】
0004777245.tif 000002
【図２】
0004777245.tif 000003
【図３】
0004777245.tif 000004
【図４】
0004777245.tif 000005
【図５】
0004777245.tif 000006
【図６】
0004777245.tif 000007
【図７】
0004777245.tif 000008